(57)【特許請求の範囲】
【請求項１】
ベース部材と、該ベース部材に組付けられたカバー部材とからなり、両部材により画成される収納空間に遊技機の制御を担う制御基板を収納した遊技機の基板ケースにおいて、
前記ベース部材において前記カバー部材で覆われることのない壁部の外面に設けられ、平坦凹部を有する第１取着部と、
前記第１取着部の平坦凹部に取付けられ、識別情報が付与された第１情報体と、
前記第１取着部の平坦凹部の全体を覆うように当該第１取着部に嵌合する嵌合板部を有し、前記第１情報体を被覆するように第１取着部に取付けられた第１保護カバーと、
前記カバー部材において前記ベース部材で覆われることのない壁部の外面に設けられ、平坦凹部を有する第２取着部と、
前記第２取着部の平坦凹部に取付けられ、前記第１情報体に付与された識別情報と関連する識別情報が付与された第２情報体と、
前記第２取着部の平坦凹部の全体を覆うように当該第２取着部に嵌合する嵌合板部を有し、前記第２情報体を被覆するように第２取着部に取付けられた第２保護カバーとから構成され、
前記第１保護カバーは、固定手段としての接着剤により前記第１取着部に対して取外し不能に接着固定されると共に、前記第２保護カバーは、固定手段としての接着剤により前記第２取着部に対して取外し不能に接着固定された
ことを特徴とする遊技機の基板ケース。
【請求項２】
前記第１取着部は、前記ベース部材において前記平坦凹部が設けられた壁部の突出端に設けられた嵌合突起と、当該壁部における嵌合突起とは反対となる端部側に設けられ、当該平坦凹部に繋がる嵌合凹部とを備え、
前記第１保護カバーは、前記第１取着部の嵌合突起が嵌挿される嵌合孔が形成された突部が突設されると共に、当該第１取着部の嵌合凹部に嵌合する嵌合突起が突設され、
前記突部の嵌合孔に前記第１取着部の嵌合突起を嵌挿した前記第１保護カバーの嵌合板部を第１取着部の平坦凹部に近接することで、第１保護カバーの嵌合突起が弾性変形しつつ嵌合凹部に嵌合して当該第１取着部に第１保護カバーが取付けられるよう構成されると共に、
前記第２取着部は、前記カバー部材において前記平坦凹部を設けることで形成される段部に設けられ当該平坦凹部の端部に位置する第１嵌合凹部と、当該平坦凹部が設けられる壁部における第１嵌合凹部とは反対となる平坦凹部の端部側に位置するよう設けられ、当該平坦凹部に繋がる第２嵌合凹部とを備え、
前記第２保護カバーには、前記嵌合板部における前記第２取着部の第１嵌合凹部の形成端部側に、該第１嵌合凹部に嵌合する第１嵌合突部が突設されると共に、嵌合板部における前記第２取着部の第２嵌合凹部の形成端部側に、該第２嵌合凹部に嵌合する第２嵌合突部が突設され、
前記第１嵌合突部を前記第２取着部の第１嵌合凹部に嵌合した前記第２保護カバーの嵌合板部を第２取着部の平坦凹部に近接することで、第２保護カバーの第２嵌合突部が弾性変形しつつ第２嵌合凹部に嵌合して当該第２取着部に第２保護カバーが取付けられるよう構成された請求項１記載の遊技機の基板ケース。
【請求項３】
前記ベース部材には、前記制御基板の一方の板面に対向する板状部の外縁からカバー部材側に向けて突出する壁部が形成されて、該壁部に前記第１取着部が設けられ、
前記カバー部材の板状部の外縁部には、外縁に沿って所定長さで開口形成領域が設けられると共に、該開口形成領域に前記制御基板のコネクタソケットが外方に挿通されるソケット開口が形成され、
前記開口形成領域において前記第１取着部が臨む外周縁において、該第１取着部に設けられた嵌合突起が開口形成領域に臨む位置に、前記突部の嵌合孔に嵌合突起を嵌挿するのは許容する長さだけは離間して規制壁が形成された請求項２記載の遊技機の基板ケース。
【請求項４】
前記ベース部材には、前記制御基板の一方の板面に対向する板状部の外縁からカバー部材側に向けて突出する壁部が形成されて、該壁部に前記第１取着部が設けられ、
前記カバー部材には、前記制御基板の他方の板面に対向する板状部における前記ベース部材の第１取着部が設けられる壁部と対応する外縁からベース部材側に向けて突出する壁部が形成されて、該壁部に前記第２取着部が設けられている請求項１〜３の何れか一項に記載の遊技機の基板ケース。
【請求項５】
前記カバー部材の板状部の外縁部には、外縁に沿って所定長さで開口形成領域が設けられると共に、該開口形成領域に前記制御基板のコネクタソケットが外方に挿通されるソケット開口が形成され、前記第２取着部は、前記壁部における板状部の開口形成領域が臨む外縁から突出する部位から外れた位置に設けられている請求項４記載の遊技機の基板ケース。
【発明の詳細な説明】
【技術分野】
【０００１】
この発明は、遊技機において、各種装置の制御を担う制御基板を収納する基板ケースに関するものである。
【背景技術】
【０００２】
パチンコ機に代表される遊技機は、遊技の進行を制御するための種々の制御基板を備えている。これら制御基板には、遊技内容に関わるプログラムを記憶したＲＯＭが搭載されているため、不正なプログラムが記憶されたＲＯＭを搭載した不正な制御基板と交換されることを防ぐことが肝要である。このため、遊技機では、ベース部材とカバー部材とからなる基板ケースに制御基板を収納している(例えば、特許文献１参照)。
【０００３】
特許文献１の基板ケースでは、ベース部材とカバー部材とを係合手段を介して組付けた後、ベース部材の側壁部分およびカバー部材の側壁部分に突出形成されたカシメ部を介して、締結方向へしか回転できないワンウェイネジ等によりベース部材とカバー部材とが分離不能に固定される。すなわち、このような構成の基板ケースでは、カシメ部を破断しない限り開封することができないから、不正な制御基板との交換を防止することができ、しかも破断時には痕跡が残るので、開封したことを認識できる。
【先行技術文献】
【特許文献】
【０００４】
【特許文献１】特開２００４−６５７９１号公報
【発明の概要】
【発明が解決しようとする課題】
【０００５】
しかしながら、近年は不正行為者の不正行為が巧妙化しており、ベース部材側のカシメ部を傷付けることなくカバー部材側のカシメ部のみを破断して除去することで、ベース部材とカバー部材を分離して不正な制御基板に交換した後、別の基板ケースにおいてカバー部材側のカシメ部を傷付けることなくベース部材側のカシメ部のみを破断して除去することで得たカシメ部が残っている別のカバー部材を、カシメ部を残しておいた前記ベース部材に組付けて再びワンウェイネジ等で固定することで、正規品を装うようにする不正行為が行なわれる場合がある。
【０００６】
前述したように制御基板を交換した基板ケースを構成するベース部材またはカバー部材の一方の部材に、別に用意した他方の部材を組付ける不正行為においては、両部材の何れのカシメ部にも破断時の痕跡が残らないので、開封したことを認識することができず、カシメ部が正常でもＲＯＭを検査する必要を生ずる。そこで、基板ケースを構成するベース部材またはカバー部材の一方の部材自体を取替えることで基板ケースを開封していないように偽装する行為を発見し得る対策が求められている。
【０００７】
すなわち本発明は、従来の技術に係る遊技機の基板ケースに内在する前記問題に鑑み、これらを好適に解決するべく提案されたものであって、基板ケースを構成するベース部材またはカバー部材が取替えられたことを確認し得る手段を設けることで、基板ケースが正規なベース部材およびカバー部材の組合わせで構成されているか否かを容易に確認し得る遊技機の基板ケースを提供することを目的とする。
【課題を解決するための手段】
【０００８】
前記課題を克服し、所期の目的を達成するため、本願の請求項１に係る発明は、
ベース部材(25)と、該ベース部材(25)に組付けられたカバー部材(26)とからなり、両部材(25,26)により画成される収納空間(27)に遊技機の制御を担う制御基板(23)を収納した遊技機の基板ケースにおいて、
前記ベース部材(25)において前記カバー部材(26)で覆われることのない壁部(30)の外面に設けられ、平坦凹部(56a)を有する第１取着部(56)と、
前記第１取着部(56)の平坦凹部(56a)に取付けられ、識別情報が付与された第１情報体(57)と、
前記第１取着部(56)の平坦凹部(56a)の全体を覆うように当該第１取着部(56)に嵌合する嵌合板部(58a)を有し、前記第１情報体(57)を被覆するように第１取着部(56)に取付けられた第１保護カバー(58)と、
前記カバー部材(26)において前記ベース部材(25)で覆われることのない壁部(43b)の外面に設けられ、平坦凹部(59a)を有する第２取着部(59)と、
前記第２取着部(59)の平坦凹部(59a)に取付けられ、前記第１情報体(57)に付与された識別情報と関連する識別情報が付与された第２情報体(60)と、
前記第２取着部(59)の平坦凹部(59a)の全体を覆うように当該第２取着部(59)に嵌合する嵌合板部(61a)を有し、前記第２情報体(60)を被覆するように第２取着部(59)に取付けられた第２保護カバー(61)とから構成され、
前記第１保護カバー(58)は、固定手段としての接着剤により前記第１取着部(56)に対して取外し不能に接着固定されると共に、前記第２保護カバー(61)は、固定手段としての接着剤により前記第２取着部(59)に対して取外し不能に接着固定されたことを特徴とする。
【０００９】
請求項１の発明によれば、ベース部材およびカバー部材に、関連する情報が付与された情報体が取付けられているから、両者が正規の組合わせからなる部品であることを該情報から判断することができ、ベース部材またはカバー部材の何れか一方が取替えられたことを簡単に確認することができる。すなわち、基板ケースが不正に開封されて制御基板が取替えられた不正行為が行なわれたことを発見し得る。また、情報体は保護カバーで被覆されて該情報体を容易に取外すことができないから、不正行為者が不正行為を行なおうとすることに対する抑止力となり、よって不正行為を防止することが可能となる。
また保護カバーを対応するベース部材またはカバー部材に固定手段を介して取外し不能に取付けることで、情報体を不正に取外して利用する行為を抑制することができる。
【００１０】
請求項２に係る発明では、
前記第１取着部(56)は、前記ベース部材(25)において前記平坦凹部(56a)が設けられた壁部(30)の突出端に設けられた嵌合突起(56b)と、当該壁部(30)における嵌合突起(56b)とは反対となる端部側に設けられ、当該平坦凹部(56a)に繋がる嵌合凹部(56c)とを備え、
前記第１保護カバー(58)は、前記第１取着部(56)の嵌合突起(56b)が嵌挿される嵌合孔(58c)が形成された突部(58b)が突設されると共に、当該第１取着部(56)の嵌合凹部(56c)に嵌合する嵌合突起(58d)が突設され、
前記突部(58b)の嵌合孔(58c)に前記第１取着部(56)の嵌合突起(56c)を嵌挿した前記第１保護カバー(58)の嵌合板部(58a)を第１取着部(56)の平坦凹部(56a)に近接することで、第１保護カバー(58)の嵌合突起(58d)が弾性変形しつつ嵌合凹部(56c)に嵌合して当該第１取着部(56)に第１保護カバー(58)が取付けられるよう構成されると共に、
前記第２取着部(59)は、前記カバー部材(26)において前記平坦凹部(59a)を設けることで形成される段部(59b)に設けられ当該平坦凹部(59a)の端部に位置する第１嵌合凹部(59c)と、当該平坦凹部(59a)が設けられる壁部(43b)における第１嵌合凹部(59c)とは反対となる平坦凹部(59a)の端部側に位置するよう設けられ、当該平坦凹部(59a)に繋がる第２嵌合凹部(59d)とを備え、
前記第２保護カバー(61)には、前記嵌合板部(61a)における前記第２取着部(59)の第１嵌合凹部(59c)の形成端部側に、該第１嵌合凹部(59c)に嵌合する第１嵌合突部(61b)が突設されると共に、嵌合板部(61a)における前記第２取着部(59)の第２嵌合凹部(59d)の形成端部側に、該第２嵌合凹部(59d)に嵌合する第２嵌合突部(61c)が突設され、
前記第１嵌合突部(61b)を前記第２取着部(59)の第１嵌合凹部(59c)に嵌合した前記第２保護カバー(61)の嵌合板部(61a)を第２取着部(59)の平坦凹部(59a)に近接することで、第２保護カバー(61)の第２嵌合突部(61c)が弾性変形しつつ第２嵌合凹部(59d)に嵌合して当該第２取着部(59)に第２保護カバー(61)が取付けられるよう構成されたことを要旨とする。
また請求項３に係る発明では、
前記ベース部材(25)には、前記制御基板(23)の一方の板面に対向する板状部(28)の外縁からカバー部材(26)側に向けて突出する壁部(30)が形成されて、該壁部(30)に前記第１取着部(56)が設けられ、
前記カバー部材(26)の板状部(41)の外縁部には、外縁に沿って所定長さで開口形成領域(46)が設けられると共に、該開口形成領域(46)に前記制御基板(23)のコネクタソケット(23a)が外方に挿通されるソケット開口(41a)が形成され、
前記開口形成領域(46)において前記第１取着部(56)が臨む外周縁において、該第１取着部(56)に設けられた嵌合突起(56c)が開口形成領域(46)に臨む位置に、前記突部(58b)の嵌合孔(58c)に嵌合突起(56c)を嵌挿するのは許容する長さだけは離間して規制壁(47)が形成されたことを要旨とする。
【００１１】
請求項４に係る発明では、前記ベース部材(25)には、前記制御基板(23)の一方の板面に対向する板状部(28)の外縁からカバー部材(26)側に向けて突出する壁部(30)が形成されて、該壁部(30)に前記第１取着部(56)が設けられ、
前記カバー部材(26)には、前記制御基板(23)の他方の板面に対向する板状部(41)における前記ベース部材(25)の第１取着部(56)が設けられる壁部(30)と対応する外縁からべース部材(25)側に向けて突出する壁部(43)が形成されて、該壁部(43)に前記第２取着部(59)が設けられていることを要旨とする。
請求項４の発明によれば、ベース部材およびカバー部材に対し、情報体を同一側の面に配設することで、該情報体の情報を確認する作業の時間短縮を図り得る。
【００１２】
請求項５に係る発明では、前記カバー部材(26)の板状部(41)の外縁部には、外縁に沿って所定長さで開口形成領域(46)が設けられると共に、該開口形成領域(46)に前記制御基板(23)のコネクタソケット(23a)が外方に挿通されるソケット開口(41a)が形成され、前記第２取着部(59)は、前記壁部(43)における板状部(41)の開口形成領域(46)が臨む外縁から突出する部位から外れた位置に設けられていることを要旨とする。
請求項５の発明によれば、カバー部材の壁部に対して第２取着部を、制御基板のコネクタソケットが外方に挿通されるソケット開口が設けられる開口形成領域と対応する部位から外れた位置に設けることで、該第２取着部に設けられる第２情報体の情報を確認する際に、コネクタソケットに接続された各種配線が邪魔となることはなく、作業が容易となる。
【発明の効果】
【００１３】
本発明に係る遊技機の基板ケースによれば、基板ケースを構成するベース部材またはカバー部材が取替えられたことを確認することができる。
【図面の簡単な説明】
【００１４】
【図１】本発明の好適な実施例に係るパチンコ機を示す背面図である。
【図２】実施例に係る基板ケースを、保護カバーを分解した状態で示す概略斜視図である。
【図３】実施例に係る基板ケースの正面図である。
【図４】実施例に係る基板ケースの背面図である。
【図５】実施例に係る基板ケースの底面図である。
【図６】実施例に係る基板ケースの概略斜視図である。
【図７】実施例に係る基板ケースのベース部材を示す概略斜視図である。
【図８】実施例に係るベース部材の正面図である。
【図９】実施例に係る基板ケースのカバー部材を示す概略斜視図である。
【図１０】実施例に係るカバー部材の背面図である。
【図１１】実施例に係るベース部材と第１保護カバーとを示す要部分解斜視図である。
【図１２】実施例に係るカバー部材と第２保護カバーとを示す要部分解斜視図である。
【図１３】実施例に係る第１保護カバーを示す概略斜視図である。
【図１４】実施例に係る第２保護カバーを示す概略斜視図である。
【発明を実施するための形態】
【００１５】
次に、本発明に係る遊技機の基板ケースにつき、好適な実施例を挙げて、添付図面を参照しながら以下詳細に説明する。なお、実施例では、遊技球としてパチンコ球を用いて遊技を行なうパチンコ機を例に挙げて説明する。また本願において、基板ケースを説明するに際しては、遊技機を背面から見た図１に示す状態で前、後、左および右を指称する。
【実施例】
【００１６】
(パチンコ機について)
図１に示すように、パチンコ機１０の背面には、外部球供給設備から供給されるパチンコ球を貯留する球タンク１１や、上下の球受け皿に連通する球供給路および設置枠台に設けた球回収樋に連通する球排出路(何れも図示せず)が夫々形成されたセット部材１２が配設されている。前記球タンク１１とセット部材１２とは、両部材１１,１２間に架設された球通路ユニット１３を介して連通接続されており、該球通路ユニット１３に配設された球払出し装置１４の駆動により球タンク１１に供給されたパチンコ球を前記上下の球受け皿へ給出するよう構成されている。
【００１７】
前記セット部材１２には、図１に示すように、パチンコ機１０の電源制御を行なう電源装置１５、前記球払出し装置１４を駆動制御する払出し制御装置１６、打球発射装置を駆動制御する発射制御装置１７、外部端末に接続されるインターフェース基板１８等が配設されている。なお、これらの各装置１５,１６,１７,１８は、遊技盤の裏側に配設される主制御装置１９に配線接続され、該主制御装置１９からの制御信号に基づいて所定の制御を実行するようになっている。
【００１８】
前記遊技盤に配設される図柄表示装置２０は、各種図柄を表示可能な液晶パネルが収容ケースに収容されたユニット部材であって、該収容ケースの裏面に、液晶パネルの表示を制御する表示制御装置２１や液晶パネルのバックライトを制御するインバータ装置(図示せず)が配設される。更に、前記表示制御装置２１およびインバータ装置の前面側(遊技機の裏側)には、遊技盤に配設される各種の演出装置を制御する統括制御装置２２が前後に重なるよう配設されている。そして、統括制御装置２２の下方位置に配設される前記主制御装置１９に統括制御装置２２は配線接続されて、該主制御装置１９からの制御信号に基づいて制御を実行するよう設定される。
【００１９】
(主制御装置について)
前記主制御装置１９は、パチンコ機１０の全体を制御する主制御基板(制御基板)２３を基板ケース２４に収納して構成される。主制御基板２３は、長方形の板状体であって、所要の回路パターンが形成されると共に、ＣＰＵやＲＯＭ等の電子部品および複数のコネクタソケット２３ａが前面(実装面)に設置されている(図３参照)。そして、コネクタソケット２３ａには、各種装置や他の制御基板に接続する配線コネクタ(図示せず)が接続される。主制御基板２３は、前記図柄表示装置２０による遊技の進行や、球送り装置が実施するパチンコ球の取込みや、演出可動体、発光体および音声の制御を担う他の制御基板に対しても信号を送るパチンコ機全体の制御を統括する重要な制御基板である。
【００２０】
(基板ケースについて)
図２〜図６に示すように、前記基板ケース２４は、セット部材１２側に配置されるベース部材２５と、このベース部材２５の前側に組付けられるカバー部材２６とから基本的に構成され、ベース部材２５とカバー部材２６との間に画成される収納空間２７に主制御基板２３が、電子部品の実装面をカバー部材２６の後述する板状部４１に対向する姿勢で収納される。また基板ケース２４は、収納空間２７に収納する主制御基板２３の形状に合わせて長方形に形成され、長手を左右方向に延在させた姿勢でセット部材１２の中央部に着脱可能に取付けられている(図１参照)。実施例では、前記表示制御装置２１と払出し制御装置１６との間に主制御装置１９が配設され、表示制御装置２１が主制御装置１９(基板ケース２４)の上面側に張出して上下の関係で所定間隔離間して重なると共に、該主制御装置１９の下側に位置する払出し制御装置１６は主制御装置１９(基板ケース２４)の下面側には張出さず、上下の関係で重ならない位置関係に設定されている。
【００２１】
(ベース部材について)
図７または図８に示すように、前記ベース部材２５は、透明な合成樹脂成形品であって、前記主制御基板２３の一方の板面(実装面とは反対の裏面)に対向する長方形の板状部２８の上下および右の外周縁に、前側(カバー部材２６側)へ向けて上外壁部２９,下外壁部３０および右外壁部３１が立ち上がる略箱状に形成されている。ベース部材２５には、上外壁部２９および下外壁部３０の内側に、所定間隔離間して夫々の上外壁部２９および下外壁部３０と平行に内壁部３２,３３が立設されて、上側の内外の壁部２９,３２の間および下側の内外の壁部３０,３３の間に、スライド溝３４を夫々画成するよう構成される。また、ベース部材２５では、各外壁部２９,３０,３１の板状部２８からの突出寸法が同一に設定されて各外壁部２９,３０,３１の前端の位置が一致している。一方、上下の内壁部３２,３３の板状部２８からの突出寸法は、外壁部２９,３０より低く設定される。更に、ベース部材２５では、左側の外周縁には内外の壁部は形成されずに開放しており、上側の内外の壁部２９,３２間に形成されるスライド溝３４の左端部および下側の内外の壁部３０,３３間に形成されるスライド溝３４の左端部は、何れも開放している。なお、板状部２８には、上下の内壁部３２,３３の間に、縦横に延在する複数の補強リブ３５が格子状に形成されている。
【００２２】
前記上側の内外の壁部２９,３２の間には、板状部２８から所定間隔離間する位置において左右方向に離間して複数の係止部３６が形成されると共に、下側の内外の壁部３０,３３の間には、同じく板状部２８から所定間隔離間する位置において左右方向に離間して複数の係止部３６が形成されている(図８参照)。なお、ベース部材２５において、上下の係止部３６は、上下対称な位置関係で配置されて、その形状も上下対称となっている。また、板状部２８の左端部には、上下方向に離間して複数(実施例では２つ)の突片３８が外方(左側方)に向けて延出して形成されている。更に、ベース部材２５の右外壁部３１には、上下方向に離間して複数(実施例では２つ)のベース側カシメ部３９が外方(右側方)に向けて延出して形成されると共に、両ベース側カシメ部３９,３９の間の右外壁部３１に、ベース側連結部４０が外方(右側方)に向けて延出して形成されている。
【００２３】
(カバー部材について)
図９または図１０に示すように、前記カバー部材２６は、透明な合成樹脂成形品であって、前記主制御基板２３の他方の板面(実装面)に対向する略長方形の板状部４１の上下および左右の外周縁に、後側(ベース部材２５側)へ向けて上壁部４２,下壁部４３,左壁部４４,右壁部４５が立ち上がる箱状に形成されている。カバー部材２６の上下方向の幅寸法は、上下の壁部４２,４３が、前記ベース部材２５における上下のスライド溝３４,３４に夫々収容可能な値に設定されると共に、カバー部材２６の左右方向の幅寸法は、左右の壁部４４,４５が、ベース部材２５の板状部２８の左右方向の幅寸法と略同一に設定されている。すなわち、基板ケース２４では、ベース部材２５の外壁部２９,３０,３１の内側にカバー部材２６における対応する辺の壁部４２,４３,４５が臨む状態で、ベース部材２５とカバー部材２６とが組付けられるようになっている。またカバー部材２６は、壁部４２,４３,４４,４５に囲まれた内側に主制御基板２３を収納して、該主制御基板２３に挿通するピンやネジ等の固定部材により該主制御基板２３を保持するよう構成される。すなわち、主制御基板２３は、カバー部材２６と一体的に取扱い可能であって、カバー部材２６のベース部材２５に対するスライド変位に際して、カバー部材２６と共に収納空間２７をスライド変位する。
【００２４】
前記カバー部材２６の上壁部４２は、後端側(カバー部材２６の開口側)に位置して前記ベース部材２５における上外壁部２９の突出寸法と略同一寸法でカバー部材２６の左右方向の全長に亘って延在する後壁４２ａと、該後壁４２ａにおける後述する開口形成領域４６の形成範囲に対応する部分を除く前端縁から前側に向けて延在して板状部４１に連続する前壁４２ｂとから構成される。同様に、カバー部材２６の下壁部４３は、図９に示す如く、後端側(カバー部材２６の開口側)に位置して前記ベース部材２５における下外壁部３０の突出寸法と略同一寸法でカバー部材２６の左右方向の全長に亘って延在する後壁４３ａと、該後壁４３ａにおける後述する開口形成領域４６の形成範囲に対応する部分を除く前端縁から前側に向けて延在して板状部４１に連続する前壁４３ｂとから構成される。
【００２５】
前記カバー部材２６の板状部４１は、主制御基板２３の実装面に対する離間距離の大きな主板面と、該板状部４１の右上角部および左下角部に形成されて主制御基板２３の実装面に対する離間距離の小さな副板面とからなり、該副板面が主板面より後側(ベース部材２５側)に位置する階段状に形成されている。そして、板状部４１における副板面が形成される領域が開口形成領域４６とされ、該開口形成領域４６に臨む副板面に、主制御基板２３のコネクタソケット２３ａに夫々対応してソケット開口４１ａが開設され、該ソケット開口４１ａを介して基板ケース２４の外側に臨むコネクタソケット２３ａに配線コネクタ(図示せず)が接続される。なお、実施例では、カバー部材２６の板状部４１の右上角部に形成される開口形成領域４６の副板面には、４つのソケット開口４１ａが開設されるのに対し、左下角部に形成される開口形成領域４６の副板面には、２つのソケット開口４１ａが開設されている。すなわち、カバー部材２６に開設されるソケット開口４１ａの数は、右上角部より右下角部が少なく設定される。
【００２６】
前記板状部４１における開口形成領域４６,４６の副板面の主板面から後側へ凹む寸法は、該開口形成領域４６,４６の副板面(前面)が、前記上下の壁部４２,４３における後壁４２ａ,４３ａの前端と略同一位置に臨むよう設定される。また、各開口形成領域４６が形成される部位に対応する上下の壁部４２,４３には、後壁４２ａ,４３ａから連続する前壁４２ｂ,４３ｂは形成されておらず、後壁４２ａ,４３ａの前端縁が副板面に接続されている。すなわち、板状部４１の右上角部に形成される開口形成領域４６は前方および上方に開放し、左下角部に形成される開口形成領域４６は前方および下方に開放している。なお、各開口形成領域４６における副板面の外周縁には、前側に延出する規制壁４７が形成されており、該規制壁４７は、ソケット開口４１ａの外側に臨むコネクタソケット２３ａに接続されている配線コネクタのコネクタソケット２３ａからの抜き外しを困難にして、不正行為者の配線コネクタに対する不正行為を抑制するよう機能する。
【００２７】
前記カバー部材２６における上壁部４２の後壁４２ａおよび下壁部４３の後壁４３ａには、左右方向に離間して前記ベース部材２５の対応する側の係止部３６,３６と同数の切欠部４８が形成されると共に、各切欠部４８における左端の後端部には右方に延出する被係止部４９が突設されている。なお、被係止部４９の右方への延出寸法は、切欠部４８の左右幅寸法より小さく設定されており、被係止部４９の延出端と切欠部４８の右端との間には、前記係止部３６の通過を許容する隙間が後側に開放するよう形成される。また、カバー部材２６において、上壁部４２の切欠部４８および被係止部４９と、下壁部４３の切欠部４８および被係止部４９とは、上下対称な位置関係で配置されて、その形状も上下対称となっている。すなわち実施例の基板ケース２４では、ベース部材２５に対してカバー部材２６の上下の壁部４２,４３における後壁４２ａ,４３ａを、対応するスライド溝３４,３４に対して各切欠部４８の隙間が係止部３６に対応する状態で収容した後、該ベース部材２５に対してカバー部材２６を右方にスライドすることで、各係止部３６に対応する被係止部４９が夫々係止して(図６参照)、ベース部材２５にカバー部材２６が組付けられる。なお、ベース部材２５の上下の外壁部２９,３０に目印３７が夫々設けられると共に、カバー部材２６の上下の壁部４２,４３における後壁４２ａ,４３ａに目印５０が夫々設けられ、ベース部材２５の目印３７と、カバー部材２６の目印５０とを一致することで、ベース部材２５に対してカバー部材２６は、各係止部３６が切欠部４８の隙間と対応する位置に臨むように設定される。すなわち、ベース部材２５の目印３７と、カバー部材２６の目印５０とを一致した状態で両部材２５,２６を近接することで、隙間を介して切欠部４８内に係止部３６が臨むと共に上下の壁部４２,４３の後壁４２ａ,４３ａがスライド溝３４,３４に収容されるようになっている。
【００２８】
前記カバー部材２６の左壁部４４には、前記ベース部材２５の各突片３８と対応する位置に、該突片３８が挿脱可能な挿通孔５１が夫々形成されている(図９参照)。そして、前記ベース部材２５の目印３７と、前記カバー部材２６の目印５０とを一致した状態で両部材２５,２６を近接してカバー部材２６の上下の壁部４２,４３をベース部材２５のスライド溝３４,３４に収容した状態で、各突片３８に対して対応する挿通孔５１が左方の整列位置に臨み、ベース部材２５に対してカバー部材２６を右方にスライドすることで、各挿通孔５１に対応する突片３８が挿通するよう構成される(図２参照)。
【００２９】
前記カバー部材２６の右壁部４５には、前記ベース部材２５の各ベース側カシメ部３９と対応する位置にカバー側カシメ部５２が外方(右側方)に向けて夫々延出して形成されている(図９,図１０参照)。そして、締結方向にしか回転操作できないワンウェイネジ(図２,図３参照)５３によりベース側カシメ部３９とカバー側カシメ部５２とを締結することで、両カシメ部３９,５２が分離不能に固定される。すなわち、ベース側カシメ部３９とカバー側カシメ部５２とをワンウェイネジ５３で一旦締結すると、両カシメ部３９,５２を破壊しなければ、ベース部材２５とカバー部材２６とを分離することができず、両者２５,２６の不正開放を非常に困難にしている。すなわち、実施例の基板ケース２４では、ベース側カシメ部３９とカバー側カシメ部５２および両者３９,５２を締結するワンウェイネジ５３から、破壊することなく両者３９,５２の分離を不能とする固着手段が構成される。なお、ワンウェイネジ５３を締結したカバー側カシメ部５２には、ワンウェイネジ５３を覆って操作不能とするキャップ５４が嵌め込まれる。
【００３０】
前記カバー部材２６の右壁部４５には、図９および図１０に示す如く、両カバー側カシメ部５２,５２の間に、ベース部材２５のベース側連結部４０と対応するカバー側連結部５５が外方(右側方)に向けて延出して形成される。そして、両連結部４０,５５が図示しないネジ等の固定部材により固定される。また両連結部４０,５５に亘って、管理用コード等が記憶されたＩＣタグが設けられた封印シール(図示せず)が貼付けられると共に、両連結部４０,５５には、封印シールを被覆する状態で蓋部材６６が組付けられるようになっている。
【００３１】
(ベース部材の第１取着部について)
前記ベース部材２５の下外壁部３０には、図２,図７に示す如く、前記目印３７の形成位置から左方に離間する部位に、第１取着部５６が設けられている。この第１取着部５６は、図１１に示す如く、下外壁部３０の外面から所定深さだけ凹設された平坦凹部５６ａを備え、該平坦凹部５６ａに、各種の識別情報が付与された第１情報シール(第１情報体)５７が貼着される。また第１取着部５６は、下外壁部３０の前端(突出端)において左右方向に離間して突設された一対の嵌合突起５６ｂ,５６ｂと、該下外壁部３０の後端(板状部２８側)に凹設された略Ｔ字状の嵌合凹部５６ｃとを備える。なお、第１情報シール５７には、その表面に、遊技店に備えられている読取装置により読み取り可能な、例えば二次元コード等が印刷されている。
【００３２】
前記ベース部材２５の第１取着部５６には、固定手段を介して第１保護カバー５８が取外し不能に取付けられる。この第１保護カバー５８は、第１取着部５６における平坦凹部５６ａの全体を覆うように第１取着部５６に嵌合する嵌合板部５８ａを備える。また、第１保護カバー５８の嵌合板部５８ａにおける前端縁には、左右方向に離間して一対の突部５８ｂ,５８ｂが上側に向けて突設されると共に、各突部５８ｂに、前記第１取着部５６の嵌合突起５６ｂが嵌挿される嵌合孔５８ｃが形成されている。更に、第１保護カバー５８の嵌合板部５８ａにおける後端縁には、図１３に示す如く、前記第１取着部５６の嵌合凹部５６ｃに嵌合するＴ字状の嵌合突起５８ｄが上側(突部５８ｂと同じ方向)に向けて突設されている。すなわち、第１取着部５６に対して第１保護カバー５８は、各嵌合孔５８ｃに対応する嵌合突起５６ｂを夫々嵌挿すると共に、嵌合凹部５６ｃに嵌合突起５８ｄを嵌合することで、平坦凹部５６ａに貼着されている第１情報シール５７を嵌合板部５８ａで被覆した状態で取付けられる(図５参照)。また、第１取着部５６における平坦凹部５６ａと嵌合凹部５６ｃの内部輪郭と、第１保護カバー５８における嵌合板部５８ａと嵌合突起５８ｄの外部輪郭とは略合致するよう形成されて、平坦凹部５６ａおよび嵌合凹部５６ｃに対して嵌合板部５８ａおよび嵌合突起５８ｄが隙間なく嵌合するよう構成される。なお、第１保護カバー５８は、透明な合成樹脂成形品であって、第１情報シール５７を被覆した状態で、外部から該第１情報シール５７の情報を読取装置で読み取り得るよう構成される。
【００３３】
そして、前記第１保護カバー５８は、固定手段としての接着剤により第１取着部５６に接着固定されて、取外し不能になっている。この接着剤は、第１保護カバー５８と第１取着部５６との対向面に塗布されて両者を接着した際に、該接着剤層が第１保護カバー５８で覆われて、該接着剤の溶出を防ぐことができるようになっている。なお、本発明において取外し不能とは、無理に保護カバーを引き剥がす等、取外し時に痕跡が残るような行為をしない限り取外すことが困難で、痕跡を残さず取外すことが実質的に不可能な状態を指称するものである。
【００３４】
前記第１保護カバー５８の嵌合板部５８ａおよび嵌合突起５８ｄは、第１取着部５６の対応する平坦凹部５６ａおよび嵌合凹部５６ｃに隙間なく嵌合して、ドライバー等の工具を嵌合箇所に差込まれるのを困難にしている。また、前記第１取着部５６における嵌合凹部５６ｃは、前記下側の係止部３６を成形する際に形成される開口を利用して形成されて、該嵌合凹部５６ｃに嵌合される嵌合突起５８ｄにより開口を塞ぐよう構成してある(図４参照)。ここで、前記カバー部材２６の板状部４１における左下角部に形成された開口形成領域４６の副板面に形成される前記規制壁４７は、図２,図１１に示すように、第１取着部５６における一方の嵌合突起５６ｂと上下に重なる位置(突部５８ｂの嵌合孔５８ｃに嵌合突起５６ｂを嵌挿するのは許容する長さだけは離間する位置)に設けられており、該規制壁４７は、嵌合突起５６ｂを嵌合孔５８ｃに嵌挿した状態で第１取着部５６に取付けられている第１保護カバー５８において、該嵌合孔５８ｃが形成される突部５８ｂに対して開口形成領域４６側から工具等を用いて嵌合突起５６ｂと嵌合孔５８ｃとの嵌挿状態を解除する行為を抑制するべく機能する。なお、第１取着部５６に対応する位置に設けられる規制壁４７は、一方の嵌合突起５６ｂのみならず全ての嵌合突起５６ｂに対して上下に重なるように設けてもよいが、少なくとも一部の嵌合突起５６ｂと上下に重なっていれば、不正行為に対する抑止力となる。
【００３５】
(カバー部材の第２取着部について)
前記カバー部材２６の下壁部４３には、前記板状部４１の左下角部に形成された開口形成領域４６から右方に離間する位置、すなわち開口形成領域４６に対応して後壁４３ａのみが外縁から突出する部位から外れた位置の前壁４３ｂに、第２取着部５９が設けられている。より具体的には、ベース部材２５の下外壁部３０で隠れることのない前壁４３ｂであって、図２,図９に示す如く、前記目印５０の形成位置から右方に離間する部位に第２取着部５９が設けられる。この第２取着部５９は、図１２に示す如く、前壁４３ｂ(下壁部４３)の外面から所定深さだけ凹設された平坦凹部５９ａを備え、該平坦凹部５９ａに、前記第１情報シール５７と同様に二次元コード等の印刷により各種の識別情報が付与された第２情報シール(第２情報体)６０が貼着される。この第２情報シール６０に付与される情報は、前記第１情報シール５７に付与されている情報と関連するものであって、少なくとも第１情報シール５７が貼着されているベース部材２５と、第２情報シール６０が貼着されているカバー部材２６とが正規の組合わせであることを判別し得る情報を含むものである。また第２取着部５９は、前記平坦凹部５９ａを凹設することで形成された後端段部５９ｂ(後壁４３ａと前壁４３ｂとの連設部)に、左右方向に離間して複数(実施例では３つ)の第１嵌合凹部５９ｃが平坦凹部５９ａに沿う方向に凹設される。更に、第２取着部５９は、前壁４３ｂ(下壁部４３)における前端部側に、略Ｔ字状に凹設された第２嵌合凹部５９ｄを備える。
【００３６】
前記カバー部材２６の第２取着部５９には、固定手段を介して第２保護カバー６１が取外し不能に取付けられる。この第２保護カバー６１は、第２取着部５９における平坦凹部５９ａの全体を覆うように第２取着部５９に嵌合する嵌合板部６１ａを備える。また第２保護カバー６１の嵌合板部６１ａにおける後端縁には、前記第１嵌合凹部５９ｃと対応する位置に、該第１嵌合凹部５９ｃに嵌合する第１嵌合突部６１ｂが後側に向けて突設される。更に、第２保護カバー６１の嵌合板部６１ａにおける前端部には、図１４に示す如く、前記第２取着部５９の第２嵌合凹部５９ｄに嵌合するＴ字状の第２嵌合突部６１ｃが突設されている。すなわち、第２取着部５９に対して第２保護カバー６１は、第１嵌合凹部５９ｃに第１嵌合突部６１ｂを嵌合すると共に、第２嵌合凹部５９ｄに第２嵌合突部６１ｃを嵌合することで、平坦凹部５９ａに貼着されている第２情報シール６０を嵌合板部６１ａで被覆した状態で取付けられる。そして、該第２保護カバー６１は、固定手段としての接着剤により第２取着部５９に接着固定されて、取外し不能になっている。この接着剤は、第２保護カバー６１と第２取着部５９との対向面に塗布されて両者を接着した際に、該接着剤層が第２保護カバー６１で覆われて、該接着剤の溶出を防ぐことができるようになっている。また第２保護カバー６１は、透明な合成樹脂成形品であって、第２情報シール６０を被覆した状態で、外部から該第２情報シール６０の情報を読取装置で読み取り得るよう構成される。
【００３７】
なお、第２保護カバー６１の嵌合板部６１ａ、第１嵌合突部６１ｂおよび第２嵌合突部６１ｃの外部輪郭は、第２取着部５９の対応する平坦凹部５９ａ、第１嵌合凹部５９ｃおよび第２嵌合凹部５９ｄの内部輪郭と略合致するよう形成され、夫々が隙間なく嵌合して、ドライバー等の工具を嵌合箇所に差込まれるのを困難にすると共に、前記接着剤の溶出を防止するようになっている。また第２取着部５９は、平坦凹部５９ａおよび第２嵌合凹部５９ｄの深さが、第２保護カバー６１の嵌合板部６１ａおよび第２嵌合突部６１ｃの厚みと同一に設定されて、嵌合板部６１ａおよび第２嵌合突部６１ｃを平坦凹部５９ａおよび第２嵌合凹部５９ｄに嵌合した際に、該第２保護カバー６１の外面と前壁４３ｂ(下壁部４３)の外面とが面一となるよう構成される。
【００３８】
前記ベース部材２５に設けられる第１取着部５６と、カバー部材２６に設けられる第２取着部５９とは、両部材２５,２６を組付けた状態で、該取着部５６,５９に貼着されている第１情報シール５７および第２情報シール６０の情報を読み取るための読取装置が、一方の情報シールの情報を読み取っているときに他方の情報シールの情報を読み取ることがない距離だけ離間している。
【００３９】
(基板ケースの取付け構造について)
前記基板ケース２４のセット部材１２への取付構造について簡単に説明する。基板ケース２４は、ベース部材２５における板状部２８の右側後面に設けられ、セット部材１２の前面に設けた受部(図示せず)に引っ掛ける爪部６２(図４参照)と、カバー部材２６における左壁部４４の上部に設けられ、セット部材１２の前面に設けた位置決めピン(図示せず)が挿通される位置決め孔が形成される取付部６３と、該左壁部４４中央に設けた固定部６４とを備えている(図３参照)。なお、固定部６４には、取着具６５が装着されている(図５参照)。そして、基板ケース２４は、セット部材１２の受部に爪部６２を引っ掛けると共に、セット部材１２の位置決めピンを取付部６３の位置決め孔に挿入したもとで、固定部６４に装着されている取着具６５をセット部材１２に設けた図示しない保持孔に係合することでセット部材１２に組み付けられる。
【００４０】
〔実施例の作用〕
次に、実施例に係る基板ケース２４の作用について説明する。前記ベース部材２５の第１取着部５６に対し、第１情報シール５７を、その情報の印刷面を外側に向けた状態で平坦凹部５６ａに貼着する。第１保護カバー５８の各嵌合孔５８ｃに第１取着部５６の対応する嵌合突起５６ｂを夫々嵌挿し、該第１保護カバー５８の嵌合板部５８ａを平坦凹部５６ａに近接することで、第１保護カバー５８の嵌合突起５８ｄが弾性変形しつつ嵌合凹部５６ｃに嵌合し、平坦凹部５６ａに嵌合板部５８ａが嵌合した状態で、当該第１保護カバー５８が第１取着部５６に取付けられる。このとき、平坦凹部５６ａに貼着されている第１情報シール５７は、第１保護カバー５８の嵌合板部５８ａで被覆される(図５参照)。そして、第１保護カバー５８を、接着剤で第１取着部５６に接着固定する。すなわち、ベース部材２５に対して第１情報シール５７は、無理に第１保護カバー５８を第１取着部５６から引き剥がさない限り不正に取外すことができないように取付けられており、不正行為者が第１情報シール５７を不正に取外して利用するのを抑制し得る。
【００４１】
また、前記カバー部材２６の第２取着部５９に対し、前記第１情報シール５７に付与されている情報と関連する情報が付与されている第２情報シール６０を、その情報の印刷面を外側に向けた状態で平坦凹部５９ａに貼着する。第２保護カバー６１の各第１嵌合突部６１ｂを第２取着部５９の対応する第１嵌合凹部５９ｃに夫々嵌合し、該第２保護カバー６１の嵌合板部６１ａを平坦凹部５９ａに近接することで、第２保護カバー６１の第２嵌合突部６１ｃが弾性変形しつつ第２嵌合凹部５９ｄに嵌合し、平坦凹部５９ａに嵌合板部６１ａが嵌合した状態で、当該第２保護カバー６１が第２取着部５９に取付けられる。このとき、平坦凹部５９ａに貼着されている第２情報シール６０は、第２保護カバー６１の嵌合板部６１ａで被覆される(図５参照)。そして、第２保護カバー６１を、接着剤で第２取着部５９に接着固定する。すなわち、カバー部材２６に対して第２情報シール６０は、前記第１情報シール５７の場合と同様に、無理に第２保護カバー６１を第２取着部５９から引き剥がさない限り不正に取外すことができないように取付けられており、不正行為者が第２情報シール６０を不正に取外して利用するのを抑制し得る。
【００４２】
次に、前記情報シール５７,６０が貼着されたベース部材２５とカバー部材２６との組付けについて説明する。前記カバー部材２６の内部に実装面を板状部４１の内面に対向した姿勢でピンやネジを介して主制御基板２３を保持させる。このとき、主制御基板２３の実装面に設けられた各コネクタソケット２３ａが、対応するソケット開口４１ａを介してカバー部材２６の外側に突出する。主制御基板２３が保持されたカバー部材２６と前記ベース部材２５とを、主制御基板２３を挟んで板状部２８,４１の内面を対向させると共に、前記目印３７,５０が一致するように位置させる。そして、ベース部材２５に対してカバー部材２６を近接することで、カバー部材２６の上下の壁部４２,４３における後壁４２ａ,４３ａが、ベース部材２５の上下のスライド溝３４,３４に収容される。このとき、ベース部材２５の上下の各係止部３６が、カバー部材２６の対応する上下の各切欠部４８に隙間を介して入り込む。また、ベース部材２５の左縁部に突設した前記各突片３８の左方に、カバー部材２６の左壁部４４に形成した対応する挿通孔５１が夫々整列して臨む。この状態で、ベース部材２５に対してカバー部材２６を右方にスライドすることで、図６に示す如く、ベース部材２５の各係止部３６がカバー部材２６の対応する被係止部４９に夫々係止されると共に、各突片３８が対応する挿通孔５１に挿通されることで、ベース部材２５に対してカバー部材２６は上下および前後方向に位置規制された状態で組付けられる。
【００４３】
前記ベース部材２５とカバー部材２６とは、複数の係止部３６と複数の被係止部４９とを係止することで組付けられるが、これら係止部３６および被係止部４９を係止可能な状態にベース部材２５とカバー部材２６とを位置決めする際には、作業者は前記ベース部材２５およびカバー部材２６に設けられた目印３７,５０を目安として両部材２５,２６を位置決めし得るから作業が容易である。また、各目印３７,５０は、前記第１取着部５６や第２取着部５９から離間して設けられているから、該取着部５６,５９に取付けられている保護カバー５８,６１等によって目印３７,５０が見え難くなることはない。
【００４４】
前記係止部３６と被係止部４９とが係止された状態で組付けられたベース部材２５とカバー部材２６とでは、前記ベース側カシメ部３９とカバー側カシメ部５２とが整合すると共に、ベース側連結部４０とカバー側連結部５５とが整合する。両連結部４０,５５を固定部材により固定すると共に、両連結部４０,５５に亘ってＩＣタグが設けられた封印シールを貼付けると共に、該封印シールを被覆するように両連結部４０,５５に蓋部材６６を組付ける。また、ベース側カシメ部３９とカバー側カシメ部５２とをワンウェイネジ５３で締結すると共に、該ネジ５３の頭部を覆うようにカバー側カシメ部５２にキャップ５４を嵌合する。これにより、ベース部材２５からカバー部材２６を取外して主制御基板２３を交換するには、封印シールを剥がしたり、カシメ部３９,５２を破壊する必要があり、基板ケース２４を不正に開封するのを困難にしている。
【００４５】
前述したように組立てられた基板ケース２４は、セット部材１２の受部に爪部６２を引っ掛けると共に、セット部材１２の位置決めピンを取付部６３の位置決め孔に挿入したもとで、固定部６４に装着されている取着具６５をセット部材１２に設けた保持孔に係合することでセット部材１２に組み付けられる。
【００４６】
前記主制御装置１９の基板ケース２４においては、前記の封印シールやカシメ部３９,５２とワンウェイネジ５３からなる固着手段によって不正開放を防止し得るようになっているものの、不正行為者の不正行為は巧妙化しており、前記課題の項で述べたように正規の組合わせではないベース部材とカバー部材とを用いることによる不正行為によって基板ケースが開封前の状態と略同じ状態に偽装されることがある。この場合は、基板ケース２４の外見上は、不正行為が行なわれた痕跡を見付けることは極め困難であり、必要によってはカシメ部３９,５２を破壊して主制御基板２３に実装されているＲＯＭを検査しなければならず、極めて手間と時間が掛かる作業が必要となる。
【００４７】
しかしながら、実施例の基板ケース２４においては、ベース部材２５に貼着されている第１情報シール５７の情報と、カバー部材２６に貼着されている第２情報シール６０の情報とを照合するだけで、当該ベース部材２５とカバー部材２６とが正規の組合わせであるのか否かを簡単に判断することができる。すなわち、第１情報シール５７の情報に対して第２情報シール６０の情報が全く関連を有していないものであれば、ベース部材２５またはカバー部材２６の何れか一方が取替えられたものであると判断することができ、カシメ部３９,５２を破壊することなく当該基板ケース２４に対して何らかの不正行為が行なわれたことを発見し得る。
【００４８】
また、前記第１情報シール５７および第２情報シール６０は、基板ケース２４をセット部材１２に取付けた状態で、同じ下側の面に貼着されていから、該情報シール５７,６０の情報を読取装置で読み取る際の作業性がよく、作業時間を短縮し得る。しかも、両情報シール５７,６０は、一方の情報シールの情報を読取装置で読み取っているときに、他方の情報シールの情報が読み取られてしまうことのない距離だけ離間してベース部材２５およびカバー部材２６に貼着されているから、読取装置での読み取りエラーを抑制し得る。更に、前記カバー部材２６に貼着される第２情報シール６０は、該カバー部材２６のソケット開口４１ａが形成される開口形成領域４６から離間する位置(外れた位置)の下壁部４３に貼着されているから、該第２情報シール６０の情報を読取装置で読み取る際に、ソケット開口４１ａから外側に突出するコネクタソケット２３ａに接続される配線が邪魔となることはなく、作業が容易となる。
【００４９】
なお、実施例においてセット部材１２に取付けられた基板ケース２４では、該ケース２４の上側に位置する前記表示制御装置２１が基板ケース２４の上面に重なっているのに対し、該ケース２４の下側に位置する前記払出し制御装置１６は下面に重なっていないので、当該基板ケース２４の下面側に前記情報シール５７,６０を貼着することで、他の制御装置が邪魔となることなく読取装置による読み取りを簡単に行ない得る。
【００５０】
(変更例)
本発明は実施例の構成に限定されず、以下のようにも変更可能である。
(1)実施例では、主制御基板を収納する基板ケースを例に挙げたが、基板ケースに収納する制御基板としては、払出し制御基板等、遊技店にとって不正に交換されることで不利益を被る制御を司る制御基板であればよい。
(2)実施例では、各取着部に対して保護カバーを、対向面同士を接着剤で接着するよう構成したが、取着部に保護カバーを取付けた後、両者の境界部分に沿って接着剤を塗布して接着するようにしてもよい。
(3)実施例では、各取着部に対して保護カバーを接着剤を用いて取外し不能に取付けたが、保護カバーを取着部に取外し不能に取付ける固定手段としては、接着剤に限らず保護カバーを取着部に溶着したり、あるいは保護カバーに設けた係合部を、取着部に設けた被係合部に係合して取付けた際に、該係合部および被係合部が保護カバーで覆われて外側からアクセスできないようにした手段であってもよい。
(4)実施例では、ベース部材やカバー部材の外面に取着部を設けたが、該取着部をベース部やカバー部材の内面に設けてもよい。この場合は、部材の内面に設けた取着部に対して、情報を部材の外側から読み取り可能な状態で情報体を設け、更に該情報体の内面側を保護カバーで被覆するよう構成すればよい。
(5)実施例では、取着部に取付けられる情報体として二次元コード等の情報が印刷されたシールを用いたが、該シールに付与される識別情報は、読取装置を用いることなく、目視により正規な組合わせであるか否かを判別し得るマークや記号等を印刷したものであってもよい。
(6)情報体としては、各種情報を記憶させたＩＣチップ等の記憶媒体を備えたタグを用いることができ、該タグは取着部に貼着するものに限らず、取着部に埋め込むものであってもよい。
(7)実施例では、ベース部材の第１取着部およびカバー部材の第２取着部を下面に設けたが、上面または左右何れかの側面に設けてもよい。
(8)実施例では、ベース部材の第１取着部とカバー部材の第２取着部とを同じ下面に設けたが、異なる面、例えば一方を上面で他方を下面や左右何れかの側面としたり、一方を下面で他方を左右何れかの側面としてもよい。
(9)各取着部に対する保護カバーの取付構造については、実施例のような嵌合により取付ける手段に限らず、フック等の係合により取付ける手段等、各種の手段を用いることができる。この場合における取付手段の係合部を、保護カバーで覆われる位置や、ベース部材やカバー部材の内部に臨む位置に設定することで、固定手段としても機能させることができる。
(10)実施例では、ベース部材とカバー部材とを取外し不能に固着する手段としてカシメ部とワンウェイネジとを用いたが、その他公知の構造の固着手段を採用し得るものであって、当該固着手段を破壊しない限りベース部材とカバー部材とを分離不能な状態に維持し得るものであればよい。すなわち、ベース部材およびカバー部材の一方に設けた第１固着部と、他方に設けた第２固着部とを取外し不能な締結手段で締結したり、あるいは通常のネジで両固着部を締結した後に該ネジの頭部(操作部)を覆う取外し不能なキャップを装着する等の構成を採用し得る。
【符号の説明】
【００５１】
２３ 主制御基板(制御基板)
２３ａ コネクタソケット
２５ ベース部材
２６ カバー部材
２７ 収納空間
２８ 板状部
３０ 下外壁部(壁部)
４１ 板状部
４１ａ ソケット開口
４３ 下壁部(壁部)
４３ｂ 前壁(カバー部材においてベース部材で覆われることのない壁部)
４６ 開口形成領域
４７ 規制壁
５６ 第１取着部
５６ａ 平坦凹部
５６ｂ 嵌合突起(第１取着部の嵌合突起)
５６ｃ 嵌合凹部(第１取着部の嵌合凹部)
５７ 第１情報シール(第１情報体)
５８ 第１保護カバー
５８ａ 嵌合板部
５８ｂ 突部
５８ｃ 嵌合孔
５８ｄ 嵌合突起(第１保護カバーの嵌合突起)
５９ 第２取着部
５９ａ 平坦凹部
５９ｂ 後端段部(平坦凹部を凹設することで形成される段部)
５９ｃ 第１嵌合凹部
５９ｄ 第２嵌合凹部
６０ 第２情報シール(第２情報体)
６１ 第２保護カバー
６１ａ 嵌合板部
６１ｂ 第１嵌合突部
６１ｃ 第２嵌合突部
【図１】
0005550169.tif 000002
【図２】
0005550169.tif 000003
【図３】
0005550169.tif 000004
【図４】
0005550169.tif 000005
【図５】
0005550169.tif 000006
【図６】
0005550169.tif 000007
【図７】
0005550169.tif 000008
【図８】
0005550169.tif 000009
【図９】
0005550169.tif 000010
【図１０】
0005550169.tif 000011
【図１１】
0005550169.tif 000012
【図１２】
0005550169.tif 000013
【図１３】
0005550169.tif 000014
【図１４】
0005550169.tif 000015